(57)【要約】【課題】送風機で送風することにより帯電粒子を空気とともに吹き出し、送風機による送風量を増加させることができる送風装置及び送風システムを提供する。【解決手段】送風機２５で送風することによって吸込口から吸い込んだ空気を通流路により吹出口へ通流し、イオン発生器２６により正負イオンを発生させて通流路へ放出する。バッテリ２４は、送風機２５及びイオン発生器２６へ電力を供給する。ＵＳＢソケット端子１３ｂにより外部からＵＳＢバス電源による電力供給を受けたときに、制御部３は送風機２５が送風する送風量を増加するように送風機２５を制御する。【選択図】図４
2014057736.tif 000002
【特許請求の範囲】
【請求項１】
空気の吸込口及び吹出口を有するハウジングに収容されている送風機と、
該送風機で送風することによって前記吸込口から吸い込まれた空気を前記吹出口へ通流する通流路と、
帯電粒子を発生させて前記通流路へ放出する帯電粒子発生器と
前記送風機及び前記帯電粒子発生器へ電力を供給するバッテリとを備える送風装置において、
外部から電力供給を受ける受電端子と、
該受電端子から電力供給を受けたときに、前記送風機が送風する送風量が増加するように前記送風機を制御する制御部と
を備えることを特徴とする送風装置。
【請求項２】
前記制御部は、
前記受電端子が電力供給を受けたことにより、前記バッテリから前記送風機への電力供給をオフし、前記受電端子から前記送風機への電力供給に切り替える切替手段を有することを特徴とする請求項１に記載の送風装置。
【請求項３】
前記制御部は、前記受電端子から電力供給を受けたときに、前記バッテリを充電する充電手段を有することを特徴とする請求項１又は請求項２に記載の送風装置。
【請求項４】
請求項１から請求項３のいずれか１つに記載の送風装置と、
該送風装置を載置するスタンドとを備える送風システムにおいて、
前記スタンドは、前記受電端子に接続され、前記送風装置へ外部から電力を供給する端子部を有することを特徴とする送風システム。
【請求項５】
前記スタンドは、前記吹出口から吹き出される気流の方向を変えるようにしてある風向板を備えることを特徴とする請求項４に記載の送風システム。
【発明の詳細な説明】
【技術分野】
【０００１】
本発明は、帯電粒子を空気とともに吹出口から吹き出す送風装置及び送風システムに関する。
【背景技術】
【０００２】
人の肌弾力を向上させる等の美容の分野において、肌の周囲に帯電粒子を照射する美容器具が種々提案されている。この美容器具は、帯電粒子発生器により帯電粒子を発生させて放出し、帯電粒子を人の肌に照射する。照射された帯電粒子によって、肌表面の水分量が増加する効果が得られるとともに、皮膚のより深い部分（真皮）における保水力を高めて肌弾力を向上する効果がある。
【０００３】
帯電粒子を発生させる方法としては、空気中で放電を行ってＨ+ （Ｈ2 Ｏ）m 、Ｏ2-（Ｈ2 Ｏ）n 等の水分子が凝集した正及び負のイオンを発生させる方法が知られている。ここで、ｍ及びｎは任意の自然数である。また、帯電粒子を発生させる他の方法としては、冷却した電極上における結露等で集めた水に高電圧をかけることにより、霧状の帯電した水粒子（以下、帯電水粒子と表記する。）を発生させる方法等もある。水分子が凝集したイオン、帯電水粒子等の帯電粒子が人の肌に照射されることによって、肌表面にＯＨ基が付着し、肌表面が親水化されて水分子が付着しやすくなるという効果が生じるものと考えられている。
【０００４】
特許文献１には、携帯用に改良された負イオン発生装置が記載されている。この負イオン発生装置は、放出口を有する筐体と、該筐体内部に配置され、帯電粒子としての負イオンを発生する負イオン発生電極と、該負イオン発生電極に負極性の高電圧を印加する高電圧発生回路が組み込まれた高圧基板と、電源となるバッテリとを備える。この負イオン発生装置は、紐などの装着手段を放出口付近に取り付けて顔の下辺りに吊り提げ、イオンを放出させて使用する。この使用状態で放出口は筐体の上部側に位置しており、放出口から放出された負イオンが顔へと照射されるというものである。
【先行技術文献】
【特許文献】
【０００５】
【特許文献１】特開２００６−１７９３６３号公報
【発明の概要】
【発明が解決しようとする課題】
【０００６】
しかしながら、特許文献１に記載の従来の負イオン発生装置では、装着手段によって吊り提げて使用する以外に、例えば卓上に置いて使用した場合には、負イオンの放出口が顔から遠ざかってしまい、送風量が足りないことで十分に負イオンの照射を受けることができないという問題点があった。また、負イオン発生装置を卓上に置いて使用した場合に、負イオンの放出口が卓上の上方に向くため、使用者が負イオン発生装置の真上に顔を近づけるようにしなければならず、利便性が低下するという問題点があった。
【０００７】
本発明は斯かる事情に鑑みてなされたものであり、その目的とするところは、送風機で送風することにより帯電粒子を空気とともに吹き出し、送風機による送風量を増加させることができる送風装置及び送風システムを提供することにある。
【課題を解決するための手段】
【０００８】
本発明に係る送風装置は、空気の吸込口及び吹出口を有するハウジングに収容されている送風機と、該送風機で送風することによって前記吸込口から吸い込まれた空気を前記吹出口へ通流する通流路と、帯電粒子を発生させて前記通流路へ放出する帯電粒子発生器と、前記送風機及び前記帯電粒子発生器へ電力を供給するバッテリとを備える送風装置において、外部から電力供給を受ける受電端子と、該受電端子が電力供給を受けたときに、前記送風機が送風する送風量が増加するように前記送風機を制御する制御部とを備えることを特徴とする。
【０００９】
本発明にあっては、空気の吸込口及び吹出口を有するハウジングに送風機が収容されており、送風機で送風することによって吸込口から吸い込んだ空気を通流路により吹出口へ通流し、帯電粒子発生器により帯電粒子を発生させて通流路へ放出する。バッテリは、送風機及び帯電粒子発生器へ電力を供給する。受電端子により外部から電力供給を受けたときに、制御部は送風機が送風する送風量を増加するように送風機を制御する。これにより、送風装置から送風する送風量を増加させることができるので、吹出口から吹き出される気流の速度が増し、より遠くへ帯電粒子が到達する。
【００１０】
本発明に係る送風装置は、前記制御部は、前記受電端子が電力供給を受けたことにより、前記バッテリから前記送風機への電力供給をオフし、前記受電端子から前記送風機への電力供給に切り替える切替手段を有することを特徴とする。
【００１１】
本発明にあっては、制御部が切替手段を有し、切替手段は、受電端子が電力供給を受けたことによりバッテリから送風機への電力供給をオフし、受電端子から送風機への電力供給に切り替えるので、自動的に送風機による送風量を増加させることができる。
【００１２】
本発明に係る送風装置は、前記制御部は、前記受電端子から電力供給を受けたときに、前記バッテリを充電する充電手段を有することを特徴とする。
【００１３】
本発明にあっては、制御部が充電手段を有し、充電手段は、受電端子から電力供給を受けたときにバッテリを充電するので、送風機による送風量を増加させつつ、バッテリが充電される。
【００１４】
本発明に係る送風システムは、上述の送風装置と、該送風装置を載置するスタンドとを備える送風システムにおいて、前記スタンドは、前記受電端子に接続され、前記送風装置へ外部から電力を供給する端子部を有することを特徴とする。
【００１５】
本発明にあっては、送風システムは上述の送風装置をスタンドに載置し、スタンドは、受電端子に接続され、送風装置へ外部から電力を供給する端子部を有するので、スタンドに送風装置を載置しつつ、送風機による送風量が増加させることができる。
【００１６】
本発明に係る送風システムは、前記スタンドは、前記吹出口から吹き出される気流の方向を変えるようにしてある風向板を備えることを特徴とする。
【００１７】
本発明にあっては、スタンドは風向板を備え、風向板により吹出口から吹き出される気流の方向を変えるようにしてある。これにより、スタンドに送風装置を載置した状態で、送風装置の吹出口から吹き出される気流の方向が変わり、所望の方向へ気流を向けることができる。
【発明の効果】
【００１８】
本発明によれば、空気の吸込口及び吹出口を有するハウジングに送風機が収容されており、送風機で送風することによって吸込口から吸い込んだ空気を通流路により吹出口へ通流し、帯電粒子発生器により帯電粒子を発生させて通流路へ放出する。バッテリは、送風機及び帯電粒子発生器へ電力を供給する。受電端子により外部から電力供給を受けたときに、制御部は送風機が送風する送風量を増加するように送風機を制御する。これにより、送風装置から送風する送風量を増加させることができる。
【図面の簡単な説明】
【００１９】
【図１】本発明の実施の形態１に係る送風装置の外観を示す正面側の斜視図である。
【図２】送風装置の底面側の外観を示す斜視図である。
【図３】送風装置の縦断側面図である。
【図４】制御部の構成を示すブロック図である。
【図５】本発明の実施の形態２に係るスタンドの外観を示す正面側の斜視図である。
【図６】天蓋部が収容された状態のスタンドの正面図である。
【図７】天蓋部が突出した状態のスタンドの正面図である。
【図８】スタンドの縦断側面図である。
【図９】送風装置を収容した状態のスタンドの縦断側面図である。
【発明を実施するための形態】
【００２０】
以下、本発明に係る送風装置及び送風システムの実施の形態を図面に基づき説明する。
【００２１】
図１は本発明の実施の形態１に係る送風装置１００の外観を示す正面側の斜視図、図２は送風装置１００の底面側の外観を示す斜視図、図３は送風装置１００の縦断側面図である。尚、図３において紙面右側は送風装置１００の正面側（前側）、紙面左側は送風装置１００の背面側（後側）であり、紙面垂直方向は送風装置１００の左右方向である。
【００２２】
本実施形態の送風装置１００は、外部から吸い込んだ空気とともに、正イオン及び負イオン（以下、正負イオンという）を外部へ吹き出す機能を有する。吹き出された正負イオンは、人の顔など肌へ照射され、肌に付着して肌表面の水分量を増加し、肌弾力を向上させる。本実施形態の送風装置１００は外形が角柱状をなし、例えば、高さが５０ｍｍ程度、左右方向の幅が３５ｍｍ程度、前後方向の厚みが１０ｍｍ程度と小型であり、携帯用として使用できる。
【００２３】
送風装置１００は、ハウジング１、回路基板２３、バッテリ２４、送風機２５、イオン発生器２６及び制御部３（図４参照）を備える。ハウジング１は縦型で角筒状をなす胴部１１、胴部１１の上端を覆う板状の上板１２、胴部１１の下端を覆う板状の底板１３を備える。胴部１１は、左右両側の中途部やや下寄りに吸込口１１ａを有する。上板１２は、前寄りに吹出口１２ａ，１２ａを有する。底板１３には、外部電源に接続するためのＵＳＢ（Universal Serial Bus）ソケット端子１３ｂ及び電源ボタン１３ａを設けてある。
【００２４】
送風装置１００のハウジング１の内部構成について説明する。回路基板２３は、前後方向の略中央に配置されており、電気回路で構成される制御部３が基板上に実装されている。制御部３については後述にて詳細を説明する。バッテリ２４は、例えば充電可能なリチウムイオン電池等であり、外形が矩形板状をなす。バッテリ２４は回路基板２３の後側に配してある。送風機２５は遠心ファンであり、複数の羽根２５ａがモータ２５ｂにより前後方向の軸まわりに回転駆動される。送風機２５は、回路基板２３の前側に隙間を空けて配置されており、該隙間はハウジング１の胴部１１に設けた吸込口１１ａに通じており、上流側通流路２７ａを構成している。
【００２５】
送風機２５の羽根２５ａが回転することにより、図３の白抜き矢印に示すように、上流側通流路２７ａから送風機２５の内部空間２７ｂに空気が吸い込まれ、送風機２５の上部に設けた開口から下流側通流路２７ｃへ送出される。下流側通流路２７ｃには、イオン発生器２６の２つの放電電極２６ａ，２６ａが露出している。放電電極２６ａ，２６ａは、吹出口１２ａ，１２ａ夫々のやや下方に左右に離間して配置されている。
【００２６】
イオン発生器２６は回路基板２３の上方に配置されており、イオン発生器２６の放電電極２６ａ，２６ａのうち一方に負極性の高電圧が、他方に正極性の高電圧が夫々印加されている。負極性の高電圧が印加された放電電極２６ａでは、負イオンであるＯ2 - （Ｈ2 Ｏ）n （ｎは任意の自然数）が発生し、正極性の高電圧が印加された放電電極２６ａでは正イオンであるＨ+ （Ｈ2 Ｏ）m （ｍは任意の自然数）が発生する。尚、イオン発生器２６は正又は負のイオンのいずれか一方を発生するものでもよい。イオン発生器２６により発生させた正負イオンは、下流側通流路２７ｃを通流する空気とともに、吹出口１２ａ，１２ａから吹き出される。
【００２７】
次に制御部３の構成について説明する。図４は制御部３の構成を示すブロック図である。制御部３は、制御回路３０、電源切替回路３１ａ，３１ｂ、電源部３２及び充電回路３４を備える。尚、バッテリ２４の出力電圧は３．１Ｖ、外部電源３９の出力電圧は５Ｖである例を用いて説明する。制御回路３０は、電源ボタン１３ａにより電源のオン／オフを受け付け、送風機２５及びイオン発生器２６を動作／非動作に切替制御し、動作時にＬＥＤ３８を点灯し、非動作時にはＬＥＤを消灯する。
【００２８】
送風機２５は送風機駆動部３５から直流電圧が供給されて回転する。送風機駆動部３５は、制御回路３０からの指令により送風機２５への直流電圧の供給をオンオフする。イオン発生器２６は、放電電極２６ａと誘電電極（図示略）を組みとしたイオン発生素子２６ｂに、発生素子駆動回路２６ｃで発生させた高電圧を印加して駆動する。発生素子駆動回路２６ｃは、制御回路３０から与えられるパルス信号によってトランスの一次側をスイッチングし、二次側に高電圧を発生させる。
【００２９】
電源切替回路３１ａは、バッテリ２４のみが接続されている状態ではバッテリ２４の電力（電圧３．１Ｖ）を電源部３２へ供給する。電源切替回路３１ａは、ＵＳＢソケット端子１３ｂに外部電源３９（ＵＳＢのバス電源５Ｖ）のＵＳＢプラグ端子３９ａが接続されて電力供給を受けたときには、外部電源３９の電力（電圧５Ｖ）を電源部３２へ供給する。電源部３２は、電源切替回路３１ａから電力が供給され、定電圧回路により３．１Ｖの一定電圧を生成し出力する。
【００３０】
電源切替回路３１ｂは、電源部３２のみから電力が供給されている状態では電源部３２の電力（電圧３．１Ｖ）を送風機駆動部３５へ供給する。電源切替回路３１ｂは、ＵＳＢソケット端子１３ｂに外部電源３９が接続されて電力供給を受けたときには、外部電源３９の電力（電圧５Ｖ）を送風機駆動部３５へ供給する。
【００３１】
充電回路３４は、ＵＳＢソケット端子１３ｂに外部電源３９（ＵＳＢのバス電源５Ｖ）が接続されて電力供給を受けたときにはバッテリ２４を充電する。
【００３２】
次に制御部３による送風機２５の送風量の可変制御について説明する。外部電源３９が接続されていない状態では、電源切替回路３１ａにバッテリ２４のみが接続された状態となっており、電源切替回路３１ａは、バッテリ２４の電力（電圧３．１Ｖ）を電源部３２へ供給する。電源部３２は、電源切替回路３１ａから電力が供給され、出力電圧３．１Ｖを制御回路３０、発生素子駆動回路２６ｃ、電源切替回路３１ｂに与える。制御回路３０及び発生素子駆動回路２６ｃは電源電圧３．１Ｖで動作する。
【００３３】
電源切替回路３１ｂは電源部３２からの電力供給を受けているが、外部電源３９からの電力供給を受けておらず、電源部３２の電力（電圧３．１Ｖ）を送風機駆動部３５へ供給する。送風機駆動部３５は、電圧３．１Ｖを送風機２５のモータ２５ｂへ印加し、羽根２５ａが回転して送風する。
【００３４】
ＵＳＢソケット端子１３ｂにＵＳＢプラグ端子（図示略）が挿入されて外部電源３９が接続されると、電源切替回路３１ａは、外部電源３９の電力（電圧５Ｖ）を電源部３２へ供給する。電源部３２は、電源切替回路３１ａから電力が供給され、３．１Ｖの一定電圧を生成し、制御回路３０、発生素子駆動回路２６ｃ、電源切替回路３１ｂに与える。制御回路３０及び発生素子駆動回路２６ｃは電源電圧３．１Ｖで動作する。
【００３５】
電源切替回路３１ｂは電源部３２から電力供給を受けるが、外部電源３９が接続されて電力供給を受けているので、外部電源３９の電力（電圧５Ｖ）を送風機駆動部３５へ供給する。送風機駆動部３５は、電圧５Ｖを送風機２５のモータ２５ｂへ印加し、羽根２５ａが回転して送風する。
【００３６】
送風機２５のモータ２５ｂは例えば直流モータであり、印加電圧が高いと回転数が大きくなる。バッテリ２４で送風機２５を動作させたときの回転数より、外部電源３９で送風機２５を動作させたときの回転数が大きくなる。
【００３７】
以上より、本実施形態によれば、空気の吸込口１１ａ及び吹出口１２ａ，１２ａを有するハウジング１に送風機２５が収容されており、送風機２５で送風することによって吸込口１１ａから吸い込んだ空気を通流路２７ｃにより吹出口１２ａ，１２ａへ通流し、イオン発生器２６により正負イオンを発生させて通流路２７ｃへ放出する。バッテリ２４は、送風機２５及びイオン発生器２６へ電力を供給する。ＵＳＢソケット端子１３ｂにより外部から電力供給を受けたときに、制御部３は送風機２５が送風する送風量を増加するように送風機２５を制御する。これにより、送風装置１００から送風する送風量を増加させることができるので、吹出口１２ａ，１２ａから吹き出される気流の速度が増し、より遠くへ正負イオンが到達する。
【００３８】
また本実施形態においては、制御部３が電源切替回路３１ｂを有しており、電源切替回路３１ｂは、ＵＳＢソケット端子１３ｂが電力供給を受けたことによりバッテリ２４から送風機２５への電力供給をオフし、ＵＳＢソケット端子１３ｂから送風機２５への電力供給に切り替えるので、自動的に送風機２５による送風量を増加させることができる。
【００３９】
また本実施形態においては、制御部３が充電回路３４を有しており、充電回路３４は、ＵＳＢソケット端子１３ｂから電力供給を受けたときにバッテリ２４を充電するので、送風機２５による送風量を増加して送風しつつ、バッテリ２４が充電される。
【００４０】
（実施の形態２）
図５は本発明の実施の形態２に係るスタンド１０１の外観を示す正面側の斜視図、図６は天蓋部６０が収容された状態のスタンド１０１の正面図、図７は天蓋部６０が突出した状態のスタンド１０１の正面図である。本実施形態に係る送風システムは、スタンド１０１の内部に送風装置１００を収容し、キャップ５が送風装置１００に被せられ、送風装置１００から吹き出される気流の方向を変える。
【００４１】
まず、スタンド１０１の全体構成について説明する。スタンド１０１は、基台部４と、キャップ５とを備える。基台部４は有底円筒状をなし、上部の開口の縁にキャップ５を着脱自在に嵌め合わせてある。キャップ５は、円筒状の収容体５０と、収容体５０の上部の開口に嵌挿される天蓋部６０とを備える。収容体５０は、円筒状の胴部５１の上端に内向きに円環状の鍔５１ａを設けてなる。鍔５１ａの内周側の縁により開口部５１ｂが形成される。天蓋部６０は天板６１等を備え、天板６１の周縁６１ｂは開口部５１ｂに嵌合する。天蓋部６０は、収容体５０に収容された状態で、天板６１の外面と鍔５１ａの外面とが面一となる。送風装置１００をスタンド１０１内に収容した状態で、天蓋部６０は収容体５０の鍔５１ａから上方へ突出する。天蓋部６０は、天板６１の下方に円筒を斜めに切除された側筒部６１ｃを有する。側筒部６１ｃは、正面側の上部から背面側の下部にかけて下方側が切除してある。側筒部６１ｃの切り口にあたる縁部６１ｄ、及び該縁部６１ｄに対向する開口部５１ｂの一部によって開口がスタンド１０１の正面側に形成される。
【００４２】
次に各部の構成について説明する。図８はスタンド１０１の縦断側面図である。尚、図８において紙面右側を正面側（前側）、紙面左側を背面側（後側）としている。キャップ５の天蓋部６０は、側筒部６１ｃの縁部６１ｄに嵌合する風向板６２と、側筒部６１ｃの下端に固定した底板７とを備える。風向板６２は、後方にやや膨んだ湾曲した形状をなす板部材であり、上端部６２ａが天板６１の前側の縁部６１ｂ下面に係合し、下端部６２ｂが底板７に当接して固定されている。風向板６２は後側下方から前側上方にかけて傾斜して配置されている。風向板６２の両側部は、側筒部６１ｃの縁部６１ｄに沿う曲線形状としてある。また、風向板６２に対向し、開口部５１ｂの縁部に上端部５２ａが連結された円錐筒状の流路壁５２が設けてある。尚、流路壁５２の後方部分は、側筒部６１ｃに対面する筒状をなしている。また、側筒部６１ｃの内部の後寄りに、底板７を連結するための螺子穴を設けた連結部６１ｅを設けてある。
【００４３】
底板７は、胴部５１の内周面に納まる外径を有する円盤状をなす。底板７の中央部後寄りにボス部７２が設けてあり、下方から螺子を挿通して連結部６１ｅの螺子穴に螺合させることにより、底板７を天蓋部６０に固定する。底板７の中央部には、上方へ窪み、送風装置１００の上側の端部を嵌合させる凹部７３が形成してあり、凹部７３の底には、送風装置１００の吹出口１２ａ，１２ａに対応する貫通孔が形成された開口部７３ａが設けられている。開口部７３ａは、平面視で吹出口１２ａ，１２ａを包絡し、更に広く開口している。凹部７３の前後の縁部には、送風装置１００の上端を案内するガイド板７５，７５が設けてある。また、開口部７３ａの後側の縁に風向板６２の下端部が当接している。
【００４４】
底板７の周縁の３箇所には、胴部５１の内周面に対面する側板７４，７４が設けてある。胴部５１には、側板７４，７４に対応するガイド部５３，５３が胴部５１の内周面から突起し上下方向に延びる条として形成されている。また、底板７の後部に立設された軸体に圧縮コイルばね７６が軸方向を上下方向として一端部を挿通してあり、圧縮コイルばね７６の他端部は胴部５１の内周面に形成したホルダ５４の止り穴に挿入されている。
【００４５】
基台部４は、送風装置１００を収容する有底円筒状の収容台４１と、該収容台４１の底部に嵌装される基板ケース４２とを備える。収容台４１の後部には空気を取り入れる空気取入口４１ａ、及びＵＳＢプラグ端子（図示略）を挿入する開口部４１ｂが設けられている。基板ケース４２は、平面視円形の箱状をなし、下部が収容台４１の底部に着座する。基板ケース４２の内部には基板４４が収容されており、後部にはＵＳＢプラグ端子を挿入する開口部４２ａが設けられている。
【００４６】
基板４４には、基板ケース４２の中央部に対応する位置にＵＳＢプラグ端子４５を設けてあり、開口部４２側の端部にＵＳＢソケット端子４６を設けてある。ＵＳＢプラグ端子４５とＵＳＢソケット端子４６とは互いに電気的に接続してある。基板ケース４２の上面の中央部には、下方に窪み、送風装置１００の下側の端部を勘合させる凹部４３が設けてあり、凹部４３の底４３ａに設けた貫通孔からＵＳＢプラグ端子４５が上方へ突き出している。
【００４７】
次に送風装置１００をスタンド１０１内に収容して使用する状態について説明する。図９は送風装置１００を収容した状態のスタンド１０１の縦断側面図である。キャップ５の収容体５０を上方へ持ち上げて基台部４から取り外し、上方から送風装置１００を基台部４へ挿入し、送風装置１００の下側の端部を凹部４３へ勘合させる。送風装置１００の底板１３を凹部４３の底４３ａに着座させる。基板ケース４２に設けたＵＳＢプラグ端子４５は、送風装置１００の底板１３に設けられているＵＳＢソケット端子１３ｂに挿入される。
【００４８】
次に送風装置１００の上方からキャップ５の収容体５０を被せ、ガイド板７５，７５に送風装置１００の上側の端部を添わせながら、キャップ５を降ろしていく。送風装置１００の上板１２の外面が凹部７３の底に当接することによって、天蓋部６０の上下方向の位置が決まる。更にキャップ５を降ろしていくと、天蓋部６０が静止した状態で収容体５０が下方に動き、天蓋部６０が鍔５１ａから突出してくる。更にキャップ５の収容体５０を下降させて、基台部４上部の開口の縁に嵌め合わせる。
【００４９】
送風装置１００をスタンド１０１内に収容した状態で天蓋部６０の天板６１の位置は鍔５１ａの位置より高くなり、側筒部６１ｃの縁部６１ｄ、及び該縁部６１ｄに対向する開口部５１ｂの一部によって開口がスタンド１０１の正面側に形成される。また、風向板６２と流路壁５２と間に通流路が形成され、底板７に設けた開口部７３ａが風向板６２の下端部及び流路壁５２の下端部５２ｂ間の空間に臨む。
【００５０】
基板ケース４２に設けたＵＳＢソケット端子４６に外部からＵＳＢプラグ端子３９ａを接続することによってバス電源が送風装置１００に供給される。バス電源が供給されることにより、送風装置１００の制御部３は、実施の形態１と同様に送風機駆動部３５へ外部電源３９の電力を供給し、バッテリ電圧３．１Ｖよりも高いバス電源電圧５Ｖが送風機２５のモータ２５ｂに印加され、モータ２５ｂの回転数が大きくなる。
【００５１】
送風装置１００の吹出口１２ａ，１２ａから吹き出されたイオン及び空気は、底板７の開口部７３ａから吹き出し、風向板６２と流路壁５２との間の通流路を通り、側筒部６１ｃの縁部６１ｄ及び該縁部６１ｄに対向する開口部５１ｂの一部で形成される開口から正面側へ吹き出される。送風装置１００の吹出口１２ａから吹き出される気流（イオン及び空気の流れ）の方向は、キャップ５を被せない状態では上向きとなるが、キャップ５を被せた状態では、風向板６２によって気流の方向が変えられて上方斜め前方向なる。
【００５２】
また、吹出口１２ａに対面する風向板６２の面、即ち風向板６２の前側下方を向く板面に導電性の被膜が形成されていてもよい。送風装置１００から吹き出されたイオンが風向板６２に吹き付けられるので、風向板６２は吹き付けられたイオンの付着によって帯電する可能性がある。イオン発生器２６により正イオン及び負イオンの両方を発生させている場合には、風向板６２に形成した導電性の被膜によって、正及び負の電荷が中和して帯電を抑制できる。また、イオン発生器２６により正イオン及び負イオンのいずれか一方を発生させる構成の場合には、導電性の被膜を基板４４の接地線に接続するようにして正及び負の電荷を接地線へ流すようにすればよい。なお、導電性の被膜は、アルミ蒸着、クロムメッキ、銀メッキ等の処理、カーボンの塗布、又は金属箔の貼り付け等で形成する。
【００５３】
以上のように、本実施形態によれば、送風システムは、スタンド１０１の内部に送風装置１００を収容して載置し、スタンド１０１は、ＵＳＢソケット端子１３ｂに接続され、送風装置１００へ外部から電力を供給するＵＳＢプラグ端子４５を有するので、スタンド１０１に送風装置１００を載置しつつ、送風機２５による送風量が増加させることができる。
【００５４】
また本実施形態においては、スタンド１０１は風向板６２を備え、風向板６２により吹出口１２ａ，１２ａから吹き出される気流の方向を変えるようにしてある。これにより、スタンド１０１に送風装置１００を収容して載置した状態で、送風装置１００の吹出口１２ａ，１２ａから吹き出される気流の方向が変わり、所望の方向へ気流を向けることができる。例えば、卓上に送風システム（送風装置１００及びスタンド１０１）を置いて使用する場合に人の顔のほうへ向けて正負イオンを吹き出すことができる。また、卓上に置いた送風システムと人の顔との間に距離があっても、ＵＳＢのバス電源を送風装置１００に供給することで送風機２５による送風量を増加させて、より遠くへ正負イオンを到達させることができる。
【００５５】
また、本実施の形態１及び２においては、帯電粒子として水分子が凝集したイオンを発生させる形態を示したが、この形態に限られることなく、送風装置１００が帯電水粒子等の帯電粒子を発生させる形態であってもよい。
【００５６】
なお、本発明は、本実施の形態だけに限ることなく、特許請求の範囲に記載された発明の技術的範囲及びそれと均等な範囲に及ぶものとする。
【符号の説明】
【００５７】
１  ハウジング
１１ａ  吸込口
１２ａ  吹出口
１３ｂ  ＵＳＢソケット端子（受電端子）
２４  バッテリ
２５  送風機
２６  イオン発生器（帯電粒子発生器）
２７ｃ  下流側通流路（通流路）
３  制御部
３１ｂ  電源切替回路（切替手段）
３４  充電回路（充電手段）
４５  ＵＳＢプラグ端子（端子部）
６２  風向板
１０１  スタンド
【図１】
2014057736.tif 000003
【図２】
2014057736.tif 000004
【図３】
2014057736.tif 000005
【図４】
2014057736.tif 000006
【図５】
2014057736.tif 000007
【図６】
2014057736.tif 000008
【図７】
2014057736.tif 000009
【図８】
2014057736.tif 000010
【図９】
2014057736.tif 000011